(57)【要約】【課題】  プリント注文ファイルに基づいて自動プリントを行ったときに、プリント料金が膨大な金額になることを防止することのできる撮像装置を提供すること。【解決手段】  デジタルカメラ１は、１コマ撮影モードにおいて自動プリント設定機能がオン状態にされていると、１コマの画像を取得するための撮影動作に連動して、撮影画像に対してプリント設定を行い、メモリカード９０にプリント注文ファイルを記録する。これに対し、連写撮影モードでは、自動プリント設定機能を制限することにより、又は、連写撮影動作を制限することによって、連写撮影時に取得される多くの画像に対して自動的にプリント設定が行われることがないように構成される。【選択図】図３
2005143034.tif 000002
【特許請求の範囲】
【請求項１】
撮影によって得られる画像を記録媒体に記録する撮像装置であって、
撮影指示に応答して撮影動作を制御する制御手段と、
撮影動作に連動して、前記記録媒体に記録される画像に対してプリント設定を行い、前記記録媒体にプリント注文ファイルを記録するプリント設定手段と、
を備え、
前記プリント設定手段は、前記制御手段によって連写撮影が行われる場合には、個々の撮影動作に連動して前記プリント注文ファイルの更新処理を行わないことを特徴とする撮像装置。
【請求項２】
請求項１に記載の撮像装置において、
画像を表示する表示手段
をさらに備え、
前記表示手段は、前記制御手段によって連写撮影が行われる場合、前記連写撮影の終了後に、プリント設定を行う画像を選択するための選択画面を表示し、前記プリント設定手段は、前記表示手段に前記選択画面が表示された場合に指定される選択画像についてプリント設定を行い、前記プリント注文ファイルの記録処理を行うことを特徴とする撮像装置。
【請求項３】
請求項１に記載の撮像装置において、
画像を表示する表示手段
をさらに備え、
前記表示手段は、前記制御手段によって連写撮影が行われる場合、前記連写撮影の終了後に、前記記録媒体に記録すべき画像を選択するための選択画面を表示し、前記プリント設定手段は、前記記録媒体に記録すべき画像が選択された場合に、該選択画像についてプリント設定を行い、前記プリント注文ファイルの記録処理を行うことを特徴とする撮像装置。
【請求項４】
撮影によって得られる画像を記録媒体に記録する撮像装置であって、
撮影指示に応答して撮影動作を制御する制御手段と、
撮影動作に連動して、前記記録媒体に記録される画像に対してプリント設定を行い、前記記録媒体にプリント注文ファイルを記録するプリント設定手段と、
を備え、
前記プリント設定手段は、前記制御手段によって連写撮影が行われる場合には、撮影動作に連動して、所定フレーム数の画像に対してプリント設定を行い、前記所定フレーム数を越えた分の画像に対しては撮影動作に連動してプリント設定を行わないことを特徴とする撮像装置。
【請求項５】
撮影によって得られる画像を記録媒体に記録する撮像装置であって、
撮影指示に応答して撮影動作を制御する制御手段と、
前記記録媒体に記録される画像に対してプリント設定を行い、前記記録媒体にプリント注文ファイルを記録するプリント設定手段と、
を備え、
前記プリント設定手段において、撮影動作に連動して画像に対するプリント設定が行われる場合、前記制御手段が連写撮影を禁止することを特徴とする撮像装置。
【請求項６】
請求項５に記載の撮像装置において、
連写撮影モードで撮影動作を行うことが設定されている場合に、前記プリント設定手段によって撮影動作に連動して画像に対するプリント設定を行うことが設定されると、前記制御手段は、連写撮影モード以外の撮影モードに設定変更することを特徴とする撮像装置。
【請求項７】
撮影によって得られる画像を記録媒体に記録する撮像装置であって、
撮影指示に応答して撮影動作を制御する制御手段と、
前記記録媒体に記録される画像に対してプリント設定を行い、前記記録媒体にプリント注文ファイルを記録するプリント設定手段と、
を備え、
前記プリント設定手段において、撮影動作に連動して画像に対するプリント設定が行われる場合に、前記制御手段が連写撮影を行うときには、連写撮影による撮影枚数を制限することを特徴とする撮像装置。
【請求項８】
請求項７に記載の撮像装置において、
前記制御手段は、予め設定されるプリント料金の上限に基づいて、連写撮影による撮影枚数を制限することを特徴とする撮像装置。
【発明の詳細な説明】
【技術分野】
【０００１】
本発明は、デジタルカメラ等の撮像装置に関し、特に撮影によって得られる画像をメモリカード等の記録媒体に記録するように構成される撮像装置に関する。
【背景技術】
【０００２】
従来、デジタルカメラにおいて、撮影した画像を自動プリント（自動印刷）するために、ＤＰＯＦ（Digital Print Order Format）ファイル等とよばれるようなプリント注文ファイルを、メモリカード等の記録媒体に記録する技術が存在する（例えば、特許文献１）。
【０００３】
特許文献１のデジタルカメラでは、１コマごとの煩雑なプリント設定操作を解消するために、ユーザによってプリント指定されることが予めわかっている場合には、１コマの画像撮影が行われると、それに連動して、画像を自動的にプリント注文ファイルに追記することができるようになっている。
【０００４】
【特許文献１】特開２００２−４４５７７号公報
【発明の開示】
【発明が解決しようとする課題】
【０００５】
上記特許文献１のデジタルカメラでは、１コマの画像撮影が行われる都度、記録媒体に記録されたプリント注文ファイルを更新していくため、連写撮影等のように、一定時間間隔で連続的に撮影動作を繰り返すことが必要な場合に問題が発生する。
【０００６】
すなわち、１コマの撮影動作を行うたびにプリント注文ファイルを更新していたのでは、ファイルの更新処理が負担になって、一定時間ごとに撮影動作を繰り返すことができなくなるという問題が生じていた。このような現象が生じた場合、ユーザは撮影時には気付かないことがあり、撮影後、画像を確認した時点ではじめて連写タイミングが正常な間隔でないと気付くこともある。
【０００７】
また、１コマの画像が得られる都度、その画像に対して自動的にプリント指定が行われるので、連写撮影によって得られるすべての画像に対してプリント指定が行われ、自動プリント時のプリント料金が膨大な金額になるという問題があった。連写撮影は、撮影間隔が短いので、同じような被写体を複数フレーム撮影することになり、その結果、撮影によって得られる複数の画像は、互いに似たような画像になる。ユーザはこれら複数の画像のすべてをプリントすることはなく、そのうちの気に入った一枚の画像のみをプリントすることが通常である。
【０００８】
本発明は、上記課題を解決するためになされたものであり、自動プリントを行ったときに、プリント料金が膨大な金額になることを防止することのできる撮像装置を提供することを、その目的とするものである。
【課題を解決するための手段】
【０００９】
本発明にかかる撮像装置は、撮影によって得られる画像を記録媒体に記録するように構成されており、撮影指示に応答して撮影動作を制御する制御手段と、撮影動作に連動して、前記記録媒体に記録される画像に対してプリント設定を行い、前記記録媒体にプリント注文ファイルを記録するプリント設定手段と、を備え、前記プリント設定手段は、前記制御手段によって連写撮影が行われる場合には、個々の撮影動作に連動して前記プリント注文ファイルの更新処理を行わないことを特徴とするものである。
【００１０】
この撮像装置は、画像を表示する表示手段をさらに備え、前記表示手段が、前記制御手段によって連写撮影が行われる場合、前記連写撮影の終了後に、プリント設定を行う画像を選択するための選択画面を表示し、前記プリント設定手段が、前記表示手段に前記選択画面が表示された場合に指定される選択画像についてプリント設定を行って、前記プリント注文ファイルの記録処理を行うように構成されることが好ましい。
【００１１】
また、この撮像装置は、画像を表示する表示手段をさらに備え、前記表示手段が、前記制御手段によって連写撮影が行われる場合、前記連写撮影の終了後に、前記記録媒体に記録すべき画像を選択するための選択画面を表示し、前記プリント設定手段が、前記記録媒体に記録すべき画像が選択された場合に、該選択画像についてプリント設定を行って、前記プリント注文ファイルの記録処理を行うように構成されることが好ましい。
【００１２】
また、本発明にかかる撮像装置は、撮影によって得られる画像を記録媒体に記録するように構成されており、撮影指示に応答して撮影動作を制御する制御手段と、撮影動作に連動して、前記記録媒体に記録される画像に対してプリント設定を行い、前記記録媒体にプリント注文ファイルを記録するプリント設定手段と、を備え、前記プリント設定手段は、前記制御手段によって連写撮影が行われる場合には、撮影動作に連動して、所定フレーム数の画像に対してプリント設定を行い、前記所定フレーム数を越えた分の画像に対しては撮影動作に連動してプリント設定を行わないことを特徴とするものである。
【００１３】
また、本発明にかかる撮像装置は、撮影によって得られる画像を記録媒体に記録するように構成されており、撮影指示に応答して撮影動作を制御する制御手段と、前記記録媒体に記録される画像に対してプリント設定を行い、前記記録媒体にプリント注文ファイルを記録するプリント設定手段と、を備え、前記プリント設定手段において、撮影動作に連動して画像に対するプリント設定が行われる場合、前記制御手段が連写撮影を禁止することを特徴とするものである。
【００１４】
この撮像装置は、連写撮影モードで撮影動作を行うことが設定されている場合に、前記プリント設定手段によって撮影動作に連動して画像に対するプリント設定を行うことが設定されると、前記制御手段が、連写撮影モード以外の撮影モードに設定変更するように構成されることが好ましい。
【００１５】
また、本発明にかかる撮像装置は、撮影によって得られる画像を記録媒体に記録するように構成されており、撮影指示に応答して撮影動作を制御する制御手段と、前記記録媒体に記録される画像に対してプリント設定を行い、前記記録媒体にプリント注文ファイルを記録するプリント設定手段と、を備え、前記プリント設定手段において、撮影動作に連動して画像に対するプリント設定が行われる場合に、前記制御手段が連写撮影を行うときには、連写撮影による撮影枚数を制限することを特徴とするものである。
【００１６】
この撮像装置では、前記制御手段が、予め設定されるプリント料金の上限に基づいて、連写撮影による撮影枚数を制限するように構成されることが好ましい。
【発明の効果】
【００１７】
本発明にかかる撮像装置によれば、連写撮影時には多くの画像に対して自動的にプリント設定が行われることがないので、記録媒体に記録されたプリント注文ファイルに基づいて自動プリントを行ったとしても、プリント料金が膨大な金額になることを防止することができる。
【００１８】
特に、連写撮影が行われる場合に、個々の撮影動作に連動してプリント注文ファイルの更新処理を行わないことにより、連写撮影時に取得される個々の画像に対して自動的にプリント設定が行われることを回避することができるとともに、プリント注文ファイルの更新処理が負担となって、個々の撮影動作の撮影タイミングに影響を与えることを防止することができる。
【発明を実施するための最良の形態】
【００１９】
以下、本発明の実施の形態について図面を参照しつつ詳細に説明する。なお、以下においては、撮像装置の一例として、デジタルカメラについて説明する。
【００２０】
＜構成概要＞
図１および図２は、本発明の実施形態に係るデジタルカメラ１の外観構成を示す図である。図１は正面側からみた概略斜視図であり、図２は背面側からみた概略斜視図である。図１および図２に示すように、デジタルカメラ１は、薄型の略直方体形状を有している。
【００２１】
図１に示すように、デジタルカメラ１は、その正面側に撮影レンズ２と光学ファインダ４とフラッシュ６とを備えている。撮影レンズ２は前方の被写体からの光を取り込むための光学系であり、光学ファインダ４は撮影操作時にフレーミングの状態を確認するための覗き窓である。フラッシュ６は撮影時に被写体を照明するための光源である。また、デジタルカメラ１は、その上面側に電源ボタン３とシャッタボタン（レリーズボタン）９とを備えている。電源ボタン３は、電源のオン操作およびオフ操作を受け付けるために用いられる。具体的には、電源ボタン３を押下するごとにオン状態への移行とオフ状態への移行とが交互に繰り返される。シャッタボタン９はユーザ（操作者）による半押し状態（以下、Ｓ１状態とも称する）と全押し状態（以下、Ｓ２状態とも称する）とを区別して検出可能な２段階押し込みスイッチとなっている。半押し状態Ｓ１のときには、デジタルカメラ１において被写体像を合焦状態に導くための自動合焦制御等が開始され、全押し状態Ｓ２のときには、記録用画像を撮影するための本撮影動作が開始される。
【００２２】
また、図１に示すように、デジタルカメラ１は、その側面に開閉可能な蓋１４が設けられており、蓋１４を開いた状態とすることにより、半導体メモリ等の記憶素子を内蔵したメモリカード９０をデジタルカメラ１に装着することができるようになっている。つまり、メモリカード９０はデジタルカメラ１に着脱自在な記録媒体である。デジタルカメラ１は、メモリカード９０が装着されている状態で撮影動作を行うと、それによって得られる記録用の画像をメモリカード９０に記録する。なお、記録媒体は、メモリカードに限定されるものではなく、磁気ディスクカード等であっても構わない。
【００２３】
次に、図２に示すように、デジタルカメラ１は、その背面側に、撮影前の被写体像を表示するためのプレビュー表示（ライブビュー表示とも称する）、及び撮影動作によって得られる記録画像の再生表示等を行う液晶表示部（以下、ＬＣＤという。）５を備えている。このＬＣＤ５は、所定数（例えば３２０×２４０）の表示画素を有しており、カラー画像を表示することができる。
【００２４】
デジタルカメラ１は、電源がオンされた後や、記録用の画像を取得するための本撮影動作が完了した後、撮影モードにおいて例えば１／３０秒ごとに低解像度での撮影動作を繰り返し行い、それによって逐次得られる画像をライブビュー表示としてＬＣＤ５に動画的態様で表示する。これにより、ユーザは、ＬＣＤ５におけるライブビュー表示によって撮影画像における被写体の位置および大きさ等を知覚し、フレーミング操作を行うことができる。なお、ＬＣＤ５を用いることなく光学ファインダ４のみを用いてフレーミング操作を行うことも可能である。
【００２５】
また、デジタルカメラ１の背面側には、各種の操作を行うための操作部材として、ボタン群７，８と切替ボタン１１とプリントボタン１３とが設けられている。
【００２６】
ボタン群７は十字カーソルボタン７ａ〜７ｅ（以下では、７ａを上ボタン、７ｂを下ボタン、７ｃを左ボタン、７ｄを右ボタン、および７ｅを中央(実行)ボタンとも称する）で構成されており、例えばＬＣＤ５に表示されるメニュー画面等に対して選択操作や決定操作等を行う場合に用いられる。
【００２７】
ボタン群８はメニューボタン８ａと液晶モニタボタン８ｂとフラッシュモードボタン８ｃとを有している。
【００２８】
メニューボタン８ａは、ＬＣＤ５へのメニューの表示および非表示を切り替える機能を有している。例えば、各動作モードの初期画面においてメニューボタン８ａが押下されるごとに、メニュー画面と非メニュー画面（ライブビューあるいは再生画像等の表示画面）とが交互にＬＣＤ５に表示される。また、ＬＣＤ５に表示されたメニュー画面における表示カーソルは、十字カーソルボタン７ａ〜７ｄを用いて４方向に移動させることができる。さらに、所望の選択肢が選択された状態で実行(中央)ボタン７ｅを押下することによって、その選択肢に対応する設定動作等が実行（決定）される。このような操作によって、各種撮影条件の設定等を行うことが可能である。
【００２９】
液晶モニタボタン８ｂは、液晶モニタであるＬＣＤ５の表示・非表示を切り替えるためのボタンである。液晶モニタボタン８ｂが押下されるごとに、ＬＣＤ５に画像等が表示された状態（表示状態）と表示されない状態（非表示状態）とが交互に切り替わるようになっている。非表示状態にしておけば消費電力を低減できる。
【００３０】
フラッシュモードボタン８ｃは、フラッシュ６のモードを決定するためのボタンである。フラッシュモードボタン８ｃが押下されるごとに、自動発光、強制発光、発光禁止の順序でフラッシュモードが切り替わる。
【００３１】
切替ボタン１１は、デジタルカメラ１の動作モード等を切り替えるための操作部材である。ユーザは、切替ボタン１１を押下することにより、デジタルカメラ１の動作モードを撮影モードに設定したり、再生モードに設定することができる。撮影モードとは、写真撮影を行うモードであり、記録用の画像を取得してメモリカード９０に記録する動作を行う。撮影モードは、さらに細分化すると、１コマ撮影モードと連写撮影モードがあり、これら各モードについても切替ボタン１１が押下されることによって切り替えられる。再生モードとは、メモリカード９０に記録された撮影画像をＬＣＤ５に再生表示するモードである。本実施形態のデジタルカメラ１では、電源ボタン３の押下による電源オン時には撮影モードに設定されている。
【００３２】
プリントボタン１３は、デジタルカメラの動作モードをプリントモードに移行させるためのボタンである。プリントモードでは、ユーザがデジタルカメラ１に対する手動操作を行うことによって、既にメモリカード９０に記録された撮影画像に対してプリント設定を行うことができるようになる。ただし、デジタルカメラ１は、プリントモード時での手動操作によるプリント設定の他、撮影動作に連動して自動的にプリント設定を行うことができるようになっている。この場合、デジタルカメラ１において、記録用の画像を撮影するための撮影動作に連動して、その撮影動作によって取得される画像に対して自動的にプリント設定を行う機能が予めオン状態に設定されることになる。
【００３３】
次に、図３を参照しつつ、デジタルカメラ１の内部構成について説明する。図３は、デジタルカメラ１の内部機能を示すブロック図である。
【００３４】
デジタルカメラ１は、撮影モード時において、例えばシャッタボタン９が全押し操作されたことによる撮影指示に応答して、記録用の画像を撮影するための撮影動作を行うように構成されている。このような撮影動作は、撮影レンズ２を介して入射する被写体像をＣＣＤ（撮像素子）２０において光電変換が行われることによって実現される。
【００３５】
ＣＣＤ（撮像素子）２０は、被写体像を光電変換して電子的な画像信号を生成する撮像手段として機能するものであり、例えば１６００×１２００個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に変換して出力する。
【００３６】
ＣＣＤ２０から得られる画像信号はアナログ信号処理回路２１に与えられ、アナログ信号処理回路２１において画像信号（アナログ信号）に対して所定のアナログ信号処理が施される。アナログ信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００３７】
Ａ／Ｄ変換器２２は、画像信号の各画素信号を１２ビットのデジタル信号に変換するものである。変換後のデジタル信号は、画像データとして一時的にＲＡＭ５０ａ内のバッファメモリ５４に格納される。そして、バッファメモリ５４に保存された画像データに対して、画像処理部５１による、ＷＢ（ホワイトバランス）処理、γ補正処理、および色補正処理等が施された後、圧縮／伸張部５２による圧縮処理等が施される。なお、ＲＡＭ５０ａのバッファメモリ５４には、連写撮影に対応すべく複数フレーム（コマ）分の画像データを記憶することができるようになっている。
【００３８】
操作部３０は、上述した電源ボタン３、ボタン群７、８、シャッタボタン９、切替ボタン１１等を含む操作部であり、ユーザがデジタルカメラ１の設定状態を変更操作する際や撮影操作を行う際等に用いられる。
【００３９】
全体制御部５０は、内部にＲＡＭ５０ａ及びＲＯＭ５０ｂを備えたマイクロコンピュータによって構成され、マイクロコンピュータが所定のプログラムを実行することにより、上記各部を統括的に制御する。具体的には、全体制御部５０は、画像処理部５１、圧縮／伸張部５２、撮影制御部５３およびプリント設定処理部５５として機能するように構成される。これらの各処理部５１，５２，５３，５５は、マイクロコンピュータが所定のプログラムを実行することによって実現される機能部である。なお、ＲＡＭ５０ａは、高速アクセス可能な半導体メモリ（たとえばＤＲＡＭ）であり、ＲＯＭ５０ｂは電気的にデータの書き換えが可能な不揮発性の半導体メモリ（たとえばフラッシュＲＯＭ）として構成される。また、ＲＡＭ５０ａ内における一部の領域は、一時記憶用のバッファエリアとして機能する。ここでは、このバッファエリアをバッファメモリ５４と称するものとする。バッファメモリ５４は、画像データ等を一時的に記憶する。
【００４０】
カードインタフェース（カードＩ／Ｆ）６０は、デジタルカメラ１側面の挿入装着部に対して装着されるメモリカード９０への画像データの書込み及び読出しを行うためのインタフェースである。全体制御部５０がメモリカード９０に対する画像データの読み書きを行う時には、圧縮／伸張部５２において例えばＪＰＥＧ方式で画像データの圧縮処理又は伸張処理が行われ、カードインタフェース６０を介して画像データがバッファメモリ５４とメモリカード９０との間で送受信される。
【００４１】
デジタルカメラ１は、カードインタフェース６０を用いて、画像データを送受信するだけでなく、デジタルカメラ１で動作するプログラムを取り込むことも可能である。たとえば、メモリカード９０に記録される制御プログラムを、全体制御部５０のＲＡＭ５０ａ又はＲＯＭ５０ｂ内に取り込むことができる。これにより、全体制御部５０で実行される制御プログラムを更新することなどが可能である。
【００４２】
つぎに、全体制御部５０の各機能部について説明する。
【００４３】
画像処理部５１は、ＷＢ処理、γ補正処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。
【００４４】
圧縮／伸張部５２は、画像データの圧縮処理および伸張処理を行う処理部である。例えば、撮影動作によって取得される記録用画像をメモリカード９０に記録する際には圧縮処理が実行され、メモリカード９０に記録されている画像を再生表示する際には伸張処理が実行される。
【００４５】
撮影制御部５３は、撮影モード時において、ＣＣＤ２０、アナログ信号処理回路２１およびＡ／Ｄ変換器２２を制御することにより、デジタルカメラ１における撮影動作を制御するものである。上述したように撮影モードには１コマ撮影モードと連写撮影モードとがあり、これら各モードに対応する動作、すなわち撮影指示に応答して実行される撮影動作として、１コマ撮影動作と連写撮影動作がある。１コマ撮影動作は、撮影指示に応答して１回の撮影動作を行い、１コマ（１フレーム）の撮影画像を取得するための撮影動作である。連写撮影動作は、１回の撮影指示に応答して連続的に撮影動作を複数回繰り返し行い、複数コマの撮影画像を取得するための撮影動作である。このため、撮影制御部５３は、１コマ撮影モードが設定されている場合には、撮影指示に応答して１回の撮影動作を行うように各部を制御する一方、連写撮影モードが設定されている場合には、撮影指示に応答して複数回の撮影動作を繰り返し行うように各部を制御する。
【００４６】
プリント設定処理部５５は、メモリカード９０に記録される画像に対してプリント設定を行い、メモリカード９０にプリント注文ファイルを書き込んだり、又はプリント注文ファイルを更新するための処理部である。例えば、プリントモード時において、ユーザが手動操作でメモリカード９０に記録された画像に対してプリント指定を行う場合、プリント設定処理部５５はユーザからの入力指示に基づいてプリント設定の対象となる画像を特定し、その画像の自動プリントが行われるようにプリント設定処理を実行し、メモリカード９０に対してプリント注文ファイルを書き込む。また、撮影モード時において自動プリント設定機能がオンにされている場合、プリント設定処理部５５は、撮影制御部５３によって制御される撮影動作に連動して機能し、ＲＡＭ５０ａに格納された撮影画像がメモリカード９０に記録されることに連動して、メモリカード９０に記録された画像（撮影画像）に対するプリント設定を自動的に実行し、メモリカード９０にプリント注文ファイルを書き込む。なお、プリント注文ファイルとは、いわゆるＤＰＯＦファイル等と同様のファイルであり、メモリカード９０に記録された個々の画像に対するプリント設定情報を格納するファイルである。
【００４７】
図４は、メモリカード９０におけるデータ格納状態の一例を示す図である。メモリカード９０には、撮影画像フォルダＦａと、プリント注文ファイル用のフォルダＦｂとが作成される。撮影画像フォルダＦａには、撮影動作によって取得される複数の画像ファイルＧｆが格納され、撮影画像フォルダＦａと異なるフォルダＦｂには、プリント注文ファイルＰｆが格納される。プリント注文ファイルＰｆは、例えば図５に示すように、一般情報Ｄｆ１、ユーザー情報Ｄｆ２、プリントジョブ情報Ｄｆ３、画像ソース情報Ｄｆ４、各種設定情報Ｄｆ５およびベンダー情報Ｄｆ６で構成されている。ここで、ベンダー情報Ｄｆ６とは、デジタルカメラを製造するメーカー各社で独自に定義される情報である。このようなプリント注文ファイルＰｆをメモリカード９０に記録しておくことにより、メモリカード９０に記録された画像のプリント処理を行うときには、プリント注文ファイルＰｆの内容を分析することによってメモリカード９０に記録された任意の画像の自動プリントが行える。
【００４８】
以上のような全体制御部５０によって、デジタルカメラ１が撮影モード、再生モードおよびプリントモードの各動作モードにあるときの内部処理が実現される。
【００４９】
例えば、撮影モードにおいて、ライブビュー表示が行われるときには、比較的簡易な撮影動作として、ＣＣＤ２０の解像度が低解像度に設定され、ライブビュー表示のための撮影動作が繰り返される。そしてシャッタボタン９が半押し（Ｓ１状態）されると、ＣＣＤ２０から出力される画像データに基づき自動合焦制御（ＡＦ）のためのＡＦ評価値を求め、周知の山登り方式によって合焦位置に撮影レンズを移動させる。また、ＣＣＤ２０で読みとった被写体の輝度情報に基づいて、本撮影動作時のシャッタスピード（ＳＳ）と絞りの値を求め、自動露出制御（ＡＥ）を行うとともに、ホワイトバランスを調整するためのゲイン設定値を決定してオートホワイトバランス制御（ＡＷＢ）を行う。
【００５０】
その後、シャッタボタンが全押し（Ｓ２状態）されると、全体制御部５０は、ＣＣＤ２０の解像度を高解像度に設定した後に記録用画像を取得するための本撮影動作を行い、ＣＣＤ２０で取得された撮影画像データに基づき圧縮／伸張部５２で圧縮画像を生成する。そして、圧縮された高解像度の画像データは、メモリカード９０に記録されることとなる。
【００５１】
また、切替ボタン１１の押下によって撮影モードから再生モードに移行すると、全体制御部５０は、メモリカード９０内で最も大きなコマ番号の画像、つまり直近に撮影された画像のデータを読み出して、圧縮／伸張部５２でデータ伸張を行い、ＬＣＤ５に画像表示を行う。この再生モードでは、左ボタン７ｃ・右ボタン７ｄの押下によりコマの送り・戻しが可能である。
【００５２】
上記のようなデジタルカメラ１において、連写撮影モードでの撮影が行われる場合、自動プリント設定機能がオン状態とされ、１コマごとの撮影動作に連動して、逐次撮影画像に対する自動プリント設定を行っていくと、連写撮影によってメモリカード９０に記録される複数の画像の全てに対してプリント設定が行われることになる。その結果、メモリカード９０をプリンタに装着したり、プリントサービス店に持参することなどによって自動プリントを行うと、プリント料金が膨大な金額になるおそれがある。本実施形態のデジタルカメラ１は、このような事態が生ずることを防止するために、連写撮影時によって取得される画像に対して多くのプリント設定が自動的に行われることを防止するように構成される。以下、このようなデジタルカメラ１の具体的な実施の形態について説明する。
【００５３】
＜第１の実施の形態＞
まず、第１の実施の形態について説明する。本実施形態では、連写撮影モードにおいて、自動プリント設定機能がオン状態に設定されることを防止するための一態様を例示する。
【００５４】
図６は、第１の実施の形態での、デジタルカメラ１における動作モードの変化を示す状態遷移図である。図６に示すように、デジタルカメラ１の電源がオンにされると、デジタルカメラ１は１コマ撮影モードＭ１０に移行する。１コマ撮影モードＭ１０は、撮影指示に応答して１コマの画像を撮影するモードであり、撮影動作に連動して生成される１コマの記録用画像は自動的にメモリカード９０に記録される。そして、１コマ撮影モードＭ１０のときに、ユーザがメニューボタン８ａを押下すると、ＬＣＤ５に対して、１コマ撮影モードＭ１０に関する各種設定を行うための撮影メニュー表示Ｇ１０が表示される状態に移行する。
【００５５】
図７は撮影メニュー表示Ｇ１０における表示画面の一例を示す図である。撮影メニュー表示Ｇ１０は、１コマ撮影モードＭ１０に対する各種設定を行うための表示であり、図７に示すように、設定項目として、例えば「サイズ」、「画質」、「ホワイトバランス」、「自動プリント設定」等が設けられている。この撮影メニュー表示Ｇ１０を参照しつつ、ユーザが十字カーソルボタン７ａ〜７ｄ及び実行ボタン７ｅを操作することによって、各設定項目についての状態を変更することができる。例えば、上ボタン７ａ若しくは下ボタン７ｂを操作することによって「自動プリント設定」の項目を選択することができ、さらに左ボタン７ｃ若しくは右ボタン７ｄを操作することによって、自動プリント設定機能のオン／オフを切り替えることができるようになっている。そして撮影メニュー表示Ｇ１０が行われている状態で、設定変更操作が終了し、実行ボタン７ｅが押下されると、再び１コマ撮影モードＭ１０に戻る。１コマ撮影モードＭ１０において、ユーザがシャッタボタン９を全押しすることによって撮影指示を与えると、全体制御部５０では撮影メニュー画面Ｇ１０で設定された内容を反映させて撮影動作が行われる。
【００５６】
１コマ撮影モードＭ１０において、ユーザが切替ボタン１１を押下すると、デジタルカメラ１は連写撮影モードＭ２０に移行する。この移行時には、図６に示すように、全体制御部５０において処理Ｐ１０，Ｐ１１が実行される。具体的には、１コマ撮影モードＭ１０において切替ボタン１１が押下されると、全体制御部５０は、自動プリント設定機能がオン状態に設定されているか否かを判断し（処理Ｐ１０）、オン状態である場合には、自動プリント設定機能をオン状態からオフ状態に設定変更してから（処理Ｐ１１）、連写撮影モードＭ２０に移行する。処理Ｐ１０において、自動プリント設定機能がオフ状態である場合には、処理Ｐ１１を行わずに、連写撮影モードＭ２０に移行する。
【００５７】
連写撮影モードＭ２０では、ユーザがシャッタボタン９の全押し操作を行って撮影指示を与えると、その撮影指示に応答して撮影動作を開始し、シャッタボタン９が全押しされている間は、予め設定された時間間隔で撮影動作が複数回繰り返し行われ、異なるタイミングで撮影された複数の画像が取得される。連写撮影モードＭ２０において、ユーザがメニューボタン８ａを押下すれば、撮影メニュー表示Ｇ２０に移行し、ＬＣＤ５に対して、連写撮影モードＭ２０に関する各種設定を行うための画面が表示される。
【００５８】
図８は撮影メニュー表示Ｇ２０における表示画面の一例を示す図である。撮影メニュー表示Ｇ２０は、連写撮影モードＭ２０に対する各種設定を行うための表示であり、図８に示すように、設定項目として、例えば「サイズ」、「画質」、「ホワイトバランス」等が設けられている。この撮影メニュー表示Ｇ２０を参照しつつ、ユーザが十字カーソルボタン７ａ〜７ｄ及び実行ボタン７ｅを操作することによって、各設定項目についての状態を変更することができる。ただし、この撮影メニュー表示Ｇ２０では、１コマ撮影モードＭ１０に関する撮影メニュー表示Ｇ１０の場合（図７参照）と異なり、「自動プリント設定」に関する設定項目は表示されず、自動プリント設定機能をオン状態に操作することはできなくなっている。そして撮影メニュー表示Ｇ２０が行われている状態で、設定変更操作が終了し、実行ボタン７ｅが押下されると、再び連写撮影モードＭ２０に戻る。
【００５９】
連写撮影モードＭ２０において、ユーザがシャッタボタン９の全押し操作を行うことによって撮影指示を与えると、全体制御部５０では撮影メニュー画面Ｇ２０で設定された内容を反映させて、撮影動作を連続的に繰り返すことにより、連写撮影が行われる。また連写撮影モードＭ２０において、ユーザが切替ボタン１１を押下すると、デジタルカメラ１は再生モードＭ３０に移行する。
【００６０】
再生モードＭ３０ではメモリカード９０に記録された画像がＬＣＤ５に再生表示される。そしてさらに、ユーザが切替ボタン１１を押下すると、デジタルカメラ１は再び撮影モードのうちの１コマ撮影モードＭ１０に移行する。
【００６１】
なお、デジタルカメラ１が１コマ撮影モードＭ１０、連写撮影モードＭ２０及び再生モードＭ３０のいずれのモードにあるときでも、ユーザがプリントボタン１３の押下操作を行えば、デジタルカメラ１はそれに応答して、ユーザによる手動操作でプリント設定を行うためのプリントモードに移行する。
【００６２】
次に、デジタルカメラ１において撮影動作を行う場合の具体的な処理シーケンスについて説明する。
【００６３】
図９及び図１０は、１コマ撮影モードＭ１０における処理手順を示すフローチャートであり、１コマ撮影モードＭ１０において自動プリント設定機能がオン状態にされている場合の撮影動作を示すものである。
【００６４】
図９に示すように、１コマ撮影モードＭ１０に移行すると、ＬＣＤ５にライブビュー表示が行われる（ステップＳ１００）。ユーザは、この状態でフレーミングを行い、所望のタイミングでシャッタボタン９を半押し操作する。デジタルカメラ１では、シャッタボタン９が半押し状態とされたことに応答して、全体制御部５０がＡＦ、ＡＥ、ＡＷＢの各処理を実行し、ユーザがシャッタボタン９の全押し操作を行うのを待機する（ステップＳ１０１）。そしてシャッタボタン９が全押し状態にされると、ＣＣＤ２０の露光を開始して、１コマの記録用画像を取得するための撮影動作を行う（ステップＳ１０２）。撮影動作によって取得された画像データはＲＡＭ５０ａに格納され（ステップＳ１０３）、各種画像処理が施された後、メモリカード９０への記録処理が行われる（ステップＳ１０４）。そして記録処理に連動して、メモリカード９０へ記録された画像に対するプリント設定が自動的に行われ（ステップＳ１０５）、プリント注文ファイル作成処理が実行される（ステップＳ１０６）。
【００６５】
プリント注文ファイル作成処理では、図１０に示すように、メモリカード９０に既にプリント注文ファイルＰｆが記録されているか否かが判断され（ステップＳ１１１）、記録されている場合には、あらたにメモリカード９０に記録された画像に対するプリント設定を追記することによりプリント注文ファイルＰｆを更新する処理が行われる（ステップＳ１１２）。一方、メモリカード９０に未だプリント注文ファイルＰｆが記録されていない場合には、プリント設定を記述したプリント注文ファイルＰｆを新規に作成してメモリカード９０に記録する処理が行われる（ステップＳ１１３）。
【００６６】
なお、図９のプリント注文ファイル作成処理（ステップＳ１０６）が終了した後は、再びステップＳ１００に戻り、次の撮影に備えるためのライブビュー表示が再開される。
【００６７】
以上のように、１コマ撮影モードＭ１０で、自動プリント設定機能がオン状態に設定されていると、撮影指示に応答した撮影動作によって１コマの撮影画像が取得されてメモリカード９０に記録されるとともに、その１コマの画像に対するプリント設定が自動的に行われてプリント注文ファイルＰｆがメモリカード９０に記録される。つまり、１コマの撮影動作に連動して、プリント設定が自動的に行われ、メモリカード９０にプリント注文ファイルＰｆが記録されることになる。したがって、ユーザは撮影操作を行った後に、デジタルカメラ１をプリントモードに移行させて画像ごとに煩雑なプリント設定操作を行う必要がなく、操作性が向上する。
【００６８】
そして１コマ撮影モードＭ１０において自動プリント設定機能がオン状態となっている場合でも、切替ボタン１１が押下されたことによって連写撮影モードＭ２０に移行すると、自動プリント設定機能がオフとなる。また、連写撮影モードＭ２０に関する撮影メニュー表示Ｇ２０でも、自動プリント設定機能をオン状態に設定することはできなくなっている。このため、連写撮影モードＭ２０では、撮影動作に連動して自動的にプリント設定が行われることがない。
【００６９】
図１１は、連写撮影モードＭ２０における処理手順を示すフローチャートである。図１１に示すように、連写撮影モードＭ２０に移行すると、ＬＣＤ５にライブビュー表示が行われる（ステップＳ２００）。ユーザは、この状態でフレーミングを行い、所望のタイミングでシャッタボタン９を半押し操作する。デジタルカメラ１では、シャッタボタン９が半押し状態とされたことに応答して、全体制御部５０がＡＦ、ＡＥ、ＡＷＢの各処理を実行し、ユーザがシャッタボタン９の全押し操作を行うのを待機する（ステップＳ２０１）。そしてシャッタボタン９が全押し状態にされると、ＣＣＤ２０の露光を開始して、画像を取得するための撮影動作を行う（ステップＳ２０２）。この撮影動作によって取得された画像データは一時的にＲＡＭ５０ａに格納される（ステップＳ２０３）。
【００７０】
取得された画像データの格納処理を終了すると、全体制御部５０はシャッタボタン９が全押しされたままの状態であるか否かを判断し（ステップＳ２０４）、全押し状態が継続されていればステップＳ２０５に進む。
【００７１】
ステップＳ２０５では、連写撮影によって取得される画像データによってＲＡＭ５０ａの記憶可能な領域がフルになったか否かが判断される。例えば、ＲＡＭ５０ａに１フレーム分の画像を記憶可能な領域が存在するなら「Ｎｏ」と判断され、１フレーム分の画像を記憶するだけの領域が存在しないなら「Ｙｅｓ」と判断される。そしてＲＡＭ５０ａに次の画像を記憶するだけの容量が残されている場合（ステップＳ２０５で「Ｎｏ」の場合）には、再びステップＳ２０２に戻って、次の撮影動作を行う。すなわち、シャッタボタン９の全押しが継続されており、かつＲＡＭ５０ａの残り記憶容量が十分に存在する場合には、ステップＳ２０２〜Ｓ２０５の処理が繰り返し実行され、連写撮影が行われる。このとき、順次取得される画像は、ＲＡＭ５０ａに蓄積されていくことになる。
【００７２】
そしてステップＳ２０２〜Ｓ２０５の繰り返し処理の継続中に、シャッタボタン９の全押し操作が解除された場合には、ステップＳ２０４において「Ｎｏ」と判断され、連写撮影のための連続的な撮影動作の繰り返しが停止され、ステップＳ２０８に進む。ステップＳ２０８では、それまでの連写撮影によってＲＡＭ５０ａに蓄積された画像をメモリカード９０に記録するための記録処理が行われる。
【００７３】
一方、シャッタボタン９の全押し操作が継続され、ＲＡＭ５０ａの残り記憶容量が不足することになった場合には、ステップＳ２０５において「Ｙｅｓ」と判断され、ステップＳ２０６に進んで、それまでの連写撮影によってＲＡＭ５０ａに蓄積された複数の画像をメモリカード９０に記録するための記録処理が行われる。このとき、メモリカード９０への記録処理が完了した画像は、ＲＡＭ５０ａから順次削除される。そしてシャッタボタン９の全押しが継続されているか否かを判断し（ステップＳ２０７）、継続されている場合には、ステップＳ２０５に戻る。このステップＳ２０５〜Ｓ２０７の処理によってＲＡＭ５０ａに蓄積されていた画像はメモリカード９０へと移動され、ＲＡＭ５０ａに十分な空き領域が作成される。よって、次回のステップＳ２０５の判断では「Ｎｏ」と判断されて、ステップＳ２０２に戻り、連写撮影のための撮影動作が継続されることになる。
【００７４】
なお、記録処理（ステップＳ２０６）の後、シャッタボタン９の全押しが解除されている場合には、連写撮影のための撮影動作は終了する。そして全ての処理が終了した後は、再びステップＳ２００に戻り、次の連写撮影に備えるためのライブビュー表示が再開される。
【００７５】
以上のような処理により、連写撮影モードＭ２０では、シャッタボタン９が全押しされている間、撮影動作が連続的に繰り返し実行される。そして連写撮影モードＭ２０では、自動プリント設定機能が働くことが禁止されているので、連続的に繰り返し行われる個々の撮影動作に連動して、個々の画像に対するプリント設定が自動的に行われることはない。そのため、連写撮影によって得られる画像に対してプリント設定を行うためには、プリントボタン１３を押下して、デジタルカメラ１をプリントモードに移行させ、ユーザが手動操作でプリント設定を行うことになる。このようなことから、本実施形態のデジタルカメラ１では、連写撮影を行った場合に、メモリカード９０に対して、連写撮影によって得られる複数の画像の全てにプリント設定が行われたプリント注文ファイルＰｆが自動的に記録されることはなく、自動プリントを行った場合でも、プリント料金がユーザの予期しない膨大な金額になることを防止できる。
【００７６】
また、連写撮影において、１コマの画像が取得されるたびに、プリント注文ファイルを更新することがないので、撮影動作の継続中に、ファイルの更新処理が負担になることがなく、良好なタイミングで撮影動作を繰り返すことができる。
【００７７】
＜第２の実施の形態＞
次に、第２の実施の形態について説明する。本実施形態では、自動プリント設定機能がオン状態に設定されている場合、連写撮影モードに移行することを禁止するための一態様を例示する。
【００７８】
図１２は、第２の実施の形態での、デジタルカメラ１における動作モードの変化を示す状態遷移図である。図１２に示すように、デジタルカメラ１の電源がオンにされると、デジタルカメラ１は１コマ撮影モードＭ１１に移行する。１コマ撮影モードＭ１１は、撮影指示に応答して１コマの画像を撮影するモードであり、撮影動作に連動して生成される１コマの記録用画像は自動的にメモリカード９０に記録される。そして、１コマ撮影モードＭ１１のときに、ユーザがメニューボタン８ａを押下すると、ＬＣＤ５に対して、１コマ撮影モードＭ１１に関する各種設定を行うための撮影メニュー表示Ｇ１１が表示される状態に移行する。
【００７９】
この撮影メニュー表示Ｇ１１では、図７に示した表示画面と同様の画面が表示され、ユーザは自動プリント設定機能をオン状態に設定することができるようになる。そして撮影メニュー表示Ｇ１１が行われている状態で、設定変更操作が終了し、実行ボタン７ｅが押下されると、再び１コマ撮影モードＭ１１に戻る。１コマ撮影モードＭ１１において、ユーザがシャッタボタン９を全押しすることによって撮影指示を与えると、全体制御部５０では撮影メニュー画面Ｇ１１で設定された内容を反映させて撮影動作が行われる。このとき、自動プリント設定機能がオン状態に設定されていれば、デジタルカメラ１において図９のフローチャートと同様の処理が進められることになる。
【００８０】
１コマ撮影モードＭ１１において、ユーザが切替ボタン１１を押下すると、デジタルカメラ１は連写撮影モードＭ２１又は再生モードＭ３１に移行する。この移行時には、図１２に示すように、全体制御部５０において処理Ｐ１２が実行される。具体的には、１コマ撮影モードＭ１１において切替ボタン１１が押下されると、全体制御部５０は、自動プリント設定機能がオン状態に設定されているか否かを判断し（処理Ｐ１２）、オン状態である場合、連写撮影モードＭ２１には移行せずに、再生モードＭ３１に移行する。一方、処理Ｐ１２において、自動プリント設定機能がオフ状態である場合には、連写撮影モードＭ２１に移行する。
【００８１】
連写撮影モードＭ２１において、ユーザがメニューボタン８ａを押下すれば、撮影メニュー表示Ｇ２１に移行し、ＬＣＤ５に対して、連写撮影モードＭ２１に関する各種設定を行うための画面が表示される。この撮影メニュー表示Ｇ２１では、図８に示した表示画面と同様の画面が表示される。したがって、ユーザは、連写撮影モードＭ２１に関する撮影メニュー表示Ｇ２１において自動プリント設定機能をオン状態に設定変更することはできなくなっている。そして撮影メニュー表示Ｇ２１が行われている状態で、設定変更操作が終了し、実行ボタン７ｅが押下されると、再び連写撮影モードＭ２１に戻る。
【００８２】
連写撮影モードＭ２１において、ユーザがシャッタボタン９の全押し操作を行うことによって撮影指示を与えると、全体制御部５０では撮影メニュー画面Ｇ２１で設定された内容を反映させて、撮影動作を連続的に繰り返すことにより、連写撮影が行われる。連写撮影モードＭ２１では自動プリント設定機能がオン状態に設定されることはないので、連写撮影時には、図１１のフローチャートと同様の処理が進められることになる。
【００８３】
また連写撮影モードＭ２１において、ユーザが切替ボタン１１を押下すると、デジタルカメラ１は再生モードＭ３１に移行する。
【００８４】
再生モードＭ３１ではメモリカード９０に記録された画像がＬＣＤ５に再生表示される。そしてさらに、ユーザが切替ボタン１１を押下すると、デジタルカメラ１は再び撮影モードのうちの１コマ撮影モードＭ１１に移行する。
【００８５】
なお、デジタルカメラ１が１コマ撮影モードＭ１１、連写撮影モードＭ２１及び再生モードＭ３１のいずれのモードにあるときでも、ユーザがプリントボタン１３の押下操作を行えば、デジタルカメラ１はそれに応答して、ユーザによる手動操作でプリント設定を行うためのプリントモードに移行する。
【００８６】
以上のような移行処理により、自動プリント設定機能がオン状態に設定されている場合、連写撮影モードＭ２１へは移行せず、デジタルカメラ１において連写撮影が行われることが禁止されるようになる。したがって、連写撮影時に個々の撮影動作に連動して個々の画像に対するプリント設定が自動的に行われることを防止できる。故に、連写撮影によって得られる画像に対してプリント設定を行うためには、プリントボタン１３を押下して、デジタルカメラ１をプリントモードに移行させ、ユーザが手動操作でプリント設定を行うことになる。このようなことから、本実施形態でも、連写撮影を行った場合に、メモリカード９０に対して、連写撮影によって得られる複数の画像の全てにプリント設定が行われたプリント注文ファイルＰｆが自動的に記録されることはなく、自動プリントを行った場合でも、プリント料金がユーザの予期しない膨大な金額になることを防止できる。
【００８７】
また、連写撮影において、１コマの画像が取得されるたびに、プリント注文ファイルを更新することがないので、撮影動作の継続中に、ファイルの更新処理が負担になることがなく、良好なタイミングで撮影動作を繰り返すことができる。
【００８８】
＜第３の実施の形態＞
次に、第３の実施の形態について説明する。本実施形態では、１コマ撮影モード及び連写撮影モードにおける撮影メニュー表示を共通にし、連写撮影モードに関する撮影メニュー表示において自動プリント設定機能がオン状態に設定された場合、連写撮影モードへは戻らずに他のモードに移行するための一態様を例示する。
【００８９】
図１３は、第３の実施の形態での、デジタルカメラ１における動作モードの変化を示す状態遷移図である。図１３に示すように、デジタルカメラ１の電源がオンにされると、デジタルカメラ１は１コマ撮影モードＭ１２に移行する。１コマ撮影モードＭ１２は、撮影指示に応答して１コマの画像を撮影するモードであり、撮影動作に連動して生成される１コマの記録用画像は自動的にメモリカード９０に記録される。そして、１コマ撮影モードＭ１２のときに、ユーザがメニューボタン８ａを押下すると、ＬＣＤ５に対して、１コマ撮影モードＭ１２に関する各種設定を行うための撮影メニュー表示Ｇ１２が表示される状態に移行する。
【００９０】
この撮影メニュー表示Ｇ１２では、図７に示した表示画面と同様の画面が表示され、ユーザは自動プリント設定機能をオン状態に設定することができるようになる。そして撮影メニュー表示Ｇ１２が行われている状態で、設定変更操作が終了し、実行ボタン７ｅが押下されると、再び１コマ撮影モードＭ１２に戻る。１コマ撮影モードＭ１２において、ユーザがシャッタボタン９を全押しすることによって撮影指示を与えると、全体制御部５０では撮影メニュー画面Ｇ１２で設定された内容を反映させて撮影動作が行われる。このとき、自動プリント設定機能がオン状態に設定されていれば、デジタルカメラ１において図９のフローチャートと同様の処理が進められることになる。
【００９１】
１コマ撮影モードＭ１２において、ユーザが切替ボタン１１を押下すると、デジタルカメラ１は連写撮影モードＭ２２又は再生モードＭ３２に移行する。この移行時には、図１３に示すように、全体制御部５０において処理Ｐ１３が実行される。具体的には、１コマ撮影モードＭ１１において切替ボタン１１が押下されると、全体制御部５０は、自動プリント設定機能がオン状態に設定されているか否かを判断し（処理Ｐ１３）、オン状態である場合、連写撮影モードＭ２２には移行せずに、再生モードＭ３２に移行する。一方、処理Ｐ１３において、自動プリント設定機能がオフ状態である場合には、連写撮影モードＭ２２に移行する。
【００９２】
連写撮影モードＭ２２において、ユーザがメニューボタン８ａを押下すれば、撮影メニュー表示Ｇ２２に移行し、ＬＣＤ５に対して、連写撮影モードＭ２２に関する各種設定を行うための画面が表示される。この撮影メニュー表示Ｇ２２では、図７に示した表示画面と同様の画面が表示され、ユーザは自動プリント設定機能をオン状態に設定することができるようになる。そして本実施形態では、撮影メニュー表示Ｇ２２において自動プリント設定機能がオン状態に設定されると、連写撮影モードへは戻らず、他のモードへ移行するように制御される。すなわち、撮影メニュー表示Ｇ２１が行われている状態で、設定変更操作が終了し、実行ボタン７ｅが押下されると、図１３に示すように、全体制御部５０において処理Ｐ１４が実行される。そして全体制御部５０は、自動プリント設定機能がオン状態に設定されているか否かを判断し（処理Ｐ１４）、オン状態である場合、連写撮影モードＭ２２には移行せず、連写撮影モード以外のモードである１コマ撮影モードＭ１２に移行する。一方、処理Ｐ１４において、自動プリント設定機能がオフ状態である場合には、再び連写撮影モードＭ２２に戻ることになる。
【００９３】
連写撮影モードＭ２２において、ユーザがシャッタボタン９の全押し操作を行うことによって撮影指示を与えると、全体制御部５０では撮影メニュー画面Ｇ２１で設定された内容を反映させて、撮影動作を連続的に繰り返すことにより、連写撮影が行われる。本実施形態においても、連写撮影モードＭ２２では自動プリント設定機能がオン状態に設定されることはないので、連写撮影時には、図１１のフローチャートと同様の処理が進められることになる。
【００９４】
また連写撮影モードＭ２２において、ユーザが切替ボタン１１を押下すると、デジタルカメラ１は再生モードＭ３２に移行する。
【００９５】
再生モードＭ３２ではメモリカード９０に記録された画像がＬＣＤ５に再生表示される。そしてさらに、ユーザが切替ボタン１１を押下すると、デジタルカメラ１は再び撮影モードのうちの１コマ撮影モードＭ１２に移行する。
【００９６】
なお、デジタルカメラ１が１コマ撮影モードＭ１２、連写撮影モードＭ２２及び再生モードＭ３２のいずれのモードにあるときでも、ユーザがプリントボタン１３の押下操作を行えば、デジタルカメラ１はそれに応答して、ユーザによる手動操作でプリント設定を行うためのプリントモードに移行する。
【００９７】
以上のような移行処理により、連写撮影モードＭ２２が指定されている場合に、自動プリント設定機能がオン状態に設定されると、連写撮影モードＭ２２から連写撮影モード以外の他のモードに設定変更が行われる。したがって、連写撮影モードＭ２２では、自動プリント設定機能がオン状態になることはなく、連写撮影時に、個々の撮影動作に連動して個々の画像に対するプリント設定が自動的に行われることを防止できる。故に、本実施形態でも、連写撮影によって得られる画像に対してプリント設定を行うためには、プリントボタン１３を押下して、デジタルカメラ１をプリントモードに移行させ、ユーザが手動操作でプリント設定を行うことになる。このようなことから、連写撮影を行った場合に、メモリカード９０に対して、連写撮影によって得られる複数の画像の全てにプリント設定が行われたプリント注文ファイルＰｆが自動的に記録されることはなく、自動プリントを行った場合でも、プリント料金がユーザの予期しない膨大な金額になることを防止できる。
【００９８】
また、連写撮影において、１コマの画像が取得されるたびに、プリント注文ファイルを更新することがないので、撮影動作の継続中に、ファイルの更新処理が負担になることがなく、良好なタイミングで撮影動作を繰り返すことができる。
【００９９】
＜第４の実施の形態＞
次に、第４の実施の形態について説明する。本実施形態では、自動プリント設定機能のオン／オフによって連写撮影モードへの移行を制限するものではなく、自動プリント設定機能がオン状態である場合にも連写撮影を可能にする一態様を例示する。
【０１００】
図１４は、第４の実施の形態での、デジタルカメラ１における動作モードの変化を示す状態遷移図である。図１４に示すように、デジタルカメラ１の電源がオンにされると、デジタルカメラ１は１コマ撮影モードＭ１３に移行する。１コマ撮影モードＭ１３のときに、ユーザがメニューボタン８ａを押下すると、ＬＣＤ５に対して、１コマ撮影モードＭ１３に関する各種設定を行うための撮影メニュー表示Ｇ１３が表示される状態に移行する。
【０１０１】
この撮影メニュー表示Ｇ１３では、図７に示した表示画面と同様の画面が表示され、ユーザは自動プリント設定機能をオン状態に設定することができるようになる。そして撮影メニュー表示Ｇ１３が行われている状態で、設定変更操作が終了し、実行ボタン７ｅが押下されると、再び１コマ撮影モードＭ１３に戻る。１コマ撮影モードＭ１３において、ユーザがシャッタボタン９を全押しすることによって撮影指示を与えると、全体制御部５０では撮影メニュー画面Ｇ１３で設定された内容を反映させて撮影動作が行われる。このとき、自動プリント設定機能がオン状態に設定されていれば、デジタルカメラ１において図９のフローチャートと同様の処理が進められることになる。
【０１０２】
１コマ撮影モードＭ１３において、ユーザが切替ボタン１１を押下すると、デジタルカメラ１は連写撮影モードＭ２３に移行する。連写撮影モードＭ２３において、ユーザがメニューボタン８ａを押下すれば、撮影メニュー表示Ｇ２３に移行し、ＬＣＤ５に対して、連写撮影モードＭ２３に関する各種設定を行うための画面が表示される。この撮影メニュー表示Ｇ２３でも、図７に示した表示画面と同様の画面が表示され、ユーザは自動プリント設定機能をオン状態に設定することができるようになる。そして撮影メニュー表示Ｇ２３が行われている状態で、設定変更操作が終了し、実行ボタン７ｅが押下されると、再び連写撮影モードＭ２３に戻る。連写撮影モードＭ２３において、ユーザがシャッタボタン９を全押しすることによって撮影指示を与えると、全体制御部５０では撮影メニュー画面Ｇ２３で設定された内容を反映させて撮影動作が行われる。このとき、自動プリント設定機能がオン状態に設定されていれば、デジタルカメラ１においては後述する撮影処理が進められることになる。
【０１０３】
そして連写撮影モードＭ２３において、ユーザが切替ボタン１１を押下すると、デジタルカメラ１は再生モードＭ３３に移行する。
【０１０４】
再生モードＭ３３ではメモリカード９０に記録された画像がＬＣＤ５に再生表示される。そしてさらに、ユーザが切替ボタン１１を押下すると、デジタルカメラ１は再び撮影モードのうちの１コマ撮影モードＭ１３に移行する。
【０１０５】
なお、デジタルカメラ１が１コマ撮影モードＭ１３、連写撮影モードＭ２３及び再生モードＭ３３のいずれのモードにあるときでも、ユーザがプリントボタン１３の押下操作を行えば、デジタルカメラ１はそれに応答して、ユーザによる手動操作でプリント設定を行うためのプリントモードに移行する。
【０１０６】
以上のように、本実施形態では、ユーザが切替ボタン１１を押下すれば、自動プリント設定機能のオン／オフ状態にかかわらず、１コマ撮影モードＭ１３、連写撮影モードＭ２３及び再生モードＭ３３が順次に切り替わることになる。
【０１０７】
ただし、本実施形態では、連写撮影モードＭ２３において自動プリント設定機能がオン状態に設定されると、連写撮影のための個々の撮影動作に連動した自動プリント設定は行われず、連写撮影のための撮影動作が全て終了した後に、自動プリント設定処理が行われるようになっている。
【０１０８】
図１５及び図１６は、本実施形態において自動プリント設定機能がオンである場合の、連写撮影モードＭ２３における処理手順を示すフローチャートである。本実施形態における連写撮影モードＭ２３では、図１５及び図１６のフローチャートに沿って処理が進められる。図１５に示すステップＳ２１０〜Ｓ２１８の各処理は、図１１に示したステップＳ２００〜Ｓ２０８の各処理と同様であり、ユーザによってシャッタボタン９が全押しされている間、撮影動作が繰り返し実行され、撮影画像が異なるタイミングで連続的に取得され、メモリカード９０には複数の画像が記録されることになる。具体的には、ステップＳ２１２，Ｓ２１３の処理が繰り返し行われることによって、連写撮影が実行され、複数の画像を取得される。そして本実施形態では、ステップＳ２１２，Ｓ２１３の処理が行われた直後のタイミングでは自動的にプリント設定が行われるようにはなっていない。すなわち、個々の撮影動作に連動してプリント設定が自動的に行われないようになっている。
【０１０９】
そしてシャッタボタン９の全押し操作が解除されると、図１６のフローチャートのステップＳ２１９に進む。ステップＳ２１９では、全体制御部５０によって、アフタービュー設定が設定されているか否かが判断される。アフタービューとは、撮影終了後、撮影動作によって取得された画像をＬＣＤ５に表示することであり、連写撮影によって得られた複数の画像をＬＣＤ５に表示することによって、複数の画像のうちから１以上の画像を選択する操作をユーザに促すものである。
【０１１０】
そしてアフタービュー設定が行われていない場合には、ステップＳ２２０に進み、連写撮影によって取得され、メモリカード９０に記録された全ての画像に対して自動的にプリント設定を行う。
【０１１１】
一方、アフタービュー設定が行われている場合には、ステップＳ２２１に進み、ＬＣＤ５にアフタービュー表示が行われる。図１７は連写撮影モードにおけるアフタービュー表示の一例を示す図である。図１７に示すように、アフタービュー表示では、ＬＣＤ５に対して、連写撮影によって取得された全ての撮影画像（より厳密には、撮影画像のサムネイル画像）が配列して表示される。なお、図１６の例では連写撮影によって６コマの撮影画像が取得された場合を例示している。一般に、連写撮影では、似たような画像が複数フレーム取得される一方、ユーザがプリントを希望する画像はそれら複数フレームの画像のうちの１フレームである場合が多い。ステップＳ２２１のアフタービュー表示は、そのような場合に、ユーザにプリント指定を行わせるための画像表示である。そのため、ステップＳ２２１のアフタービュー表示では、ユーザによってプリント設定すべき画像の選択操作が行われることになる。例えば、ボタン群７を操作することによって選択画像を示す太枠表示を任意の画像に移動させ、記録すべき画像に太枠が付されている状態で、選択機能が割り当てられた液晶モニタボタン８ｂを押下することで選択操作が行われる。なお、アフタービュー表示によってプリント指定が行われる画像の数は、１フレームに限定されるものではなく、複数フレームの画像であっても構わない。
【０１１２】
アフタービュー表示で選択操作が行われると、全体制御部５０はメモリカード９０に記録された画像のうちから、指定された画像を特定し、その画像に対するプリント設定を行う（ステップＳ２２２）。そしてメモリカード９０に対するプリント注文ファイル作成処理を実行する（ステップＳ２２３）。なお、ステップＳ２２３におけるプリント注文ファイル作成処理の詳細は、図１０のフローチャートと同様である。
【０１１３】
図１６のプリント注文ファイル作成処理（ステップＳ２２３）が終了した後は、再び図１５のステップＳ２１０に戻り、次の連写撮影に備えるためのライブビュー表示が再開される。
【０１１４】
以上のように、本実施形態のデジタルカメラ１は、連写撮影モードＭ２３において自動プリント設定機能がオン状態に設定されると、連写撮影のための個々の撮影動作に連動してプリント注文ファイルの更新処理を行わず、連写撮影の終了後に、プリント設定を行う画像を選択するための選択画面を表示し、その選択画面に基づいてユーザによって指定される選択画像についてプリント設定を行い、メモリカード９０にプリント注文ファイルＰｆの記録処理を行うように構成される。
【０１１５】
したがって、連写撮影モードＭ２３において、自動プリント設定機能がオン状態であっても、個々の撮影動作に連動して個々の画像に対するプリント設定が自動的に行われることを防止できる。故に、撮影動作の継続中に、ファイルの更新処理が負担になることがなく、良好なタイミングで撮影動作を繰り返すことができる。また、撮影終了後に、ユーザが手動操作でプリント指定を行うことになるので、メモリカード９０に対して、連写撮影によって得られる複数の画像の全てにプリント設定が行われたプリント注文ファイルＰｆが自動的に記録されることはなく、自動プリントを行った場合でも、プリント料金がユーザの予期しない膨大な金額になることを防止できる。
【０１１６】
なお、本実施形態の上記説明においては、アフタービュー表示において、プリント設定を行う画像を選択する場合について例示したが、アフタービュー表示によってメモリカード９０に記録すべき画像を選択するように構成されてもよい。その場合、メモリカード９０には、連写撮影によって取得された複数の画像のうち、アフタービュー表示によって選択された画像のみがメモリカード９０に記録されることとなり、プリント設定処理部５５はメモリカード９０に記録された選択画像に対してプリント設定を行うことになる。すなわち、連写撮影の終了後に、メモリカード９０に記録すべき画像を選択するための選択画面を表示し、記録すべき画像が選択された場合に、該選択画像についてプリント設定を行い、メモリカード９０に対してプリント注文ファイルＰｆの記録処理を行うように構成される。このような構成であっても、プリント設定を行う画像を選択する場合と同様の効果が達成される。
【０１１７】
＜第５の実施の形態＞
次に、第５の実施の形態について説明する。本実施形態では、連写撮影モードにおいて自動プリント設定機能がオン状態になることを許可し、連写撮影時の個々の撮影動作に連動して自動的にプリント設定を行う一方、無制限にプリント枚数が増加することがないようにプリント設定枚数に制限を設ける一態様を例示する。
【０１１８】
本実施形態におけるデジタルカメラ１の動作モードは、図１４に示した状態遷移図と態様と同様に変化する。そのため、連写撮影モードＭ２３において自動プリント設定機能がオン状態に設定されることがある。また、図１４における撮影メニュー表示Ｇ２３では、プリント設定枚数についての上限値Ｎ（ただし、Ｎは１以上の整数）を、ユーザが所望する値に予め設定できるようになっている。なお、撮影メニュー表示Ｇ２３においてユーザが上限値Ｎを設定しない場合でも、上限値Ｎは、１以上の所定の整数がデフォルト値として予め定められている。
【０１１９】
図１８及び図１９は、本実施形態での連写撮影モードＭ２３における処理手順を示すフローチャートである。まず図１８に示すように、連写撮影モードＭ２３に移行すると、ＬＣＤ５にライブビュー表示が行われる（ステップＳ２３０）。ユーザは、この状態でフレーミングを行い、所望のタイミングでシャッタボタン９を半押し操作する。デジタルカメラ１では、シャッタボタン９が半押し状態とされたことに応答して、全体制御部５０がＡＦ、ＡＥ、ＡＷＢの各処理を実行し、ユーザがシャッタボタン９の全押し操作を行うのを待機する（ステップＳ２３１）。
【０１２０】
そしてシャッタボタン９が全押し状態にされると、ＣＣＤ２０の露光を開始して、画像を取得するための撮影動作を行う（ステップＳ２３２）。この撮影動作によって取得された画像データは一時的にＲＡＭ５０ａに格納される（ステップＳ２３３）。すなわち、ステップＳ２３２，Ｓ２３３の処理が、１コマ分の画像を取得するための１回の撮影動作となっている。
【０１２１】
次に、全体制御部５０は、自動プリント設定機能がオン状態であるか否かを判断し（ステップＳ２３４）、オン状態であればステップＳ２３５に進む。また、オフ状態であれば図１９のステップＳ２３８に進む。
【０１２２】
自動プリント設定機能がオン状態である場合には、プリント設定枚数が予め定められた制限枚数（Ｎ枚）に達したか否かが判断される（ステップＳ２３５）。プリント設定枚数が制限枚数に達していない場合には、ステップＳ２３６，Ｓ２３７の処理が行われる。すなわち、ＲＡＭ５０ａに格納された画像に対するプリント設定処理（ステップＳ２３６）と、そのプリント設定に基づいてメモリカード９０にプリント注文ファイルＰｆを記録（更新）する処理（ステップＳ２３７）とが実行される。なお、ステップＳ２３６においてプリント設定が自動的に行われると、その都度、ＲＡＭ５０ａに保持されるプリント設定枚数を１インクリメントすることにより、プリント設定枚数を累積的に増加させていく。
【０１２３】
そして図１９のステップＳ２３８に進み、全体制御部５０はシャッタボタン９が全押しされたままの状態であるか否かを判断し（ステップＳ２３８）、全押し状態が継続されていればステップＳ２３９に進む。ステップＳ２３９，Ｓ２４０，Ｓ２４１の各処理は、図１１のステップＳ２０５，Ｓ２０６，Ｓ２０７と同様であり、連写撮影によって取得される画像データによってＲＡＭ５０ａの記憶可能な領域がフルになるまでは、ステップＳ２３２以降の上述した処理が繰り返され、フルになった場合にはそれまでの連写撮影によってＲＡＭ５０ａに蓄積された複数の画像をメモリカード９０に記録するための記録処理が行われる。なお、記録処理（ステップＳ２４０）の後、シャッタボタン９の全押しが解除されている場合（ステップＳ２４１にてＹｅｓの場合）には、連写撮影のための撮影動作は終了する。
【０１２４】
一方、ステップＳ２３８においてシャッタボタン９の全押し操作が解除されていれば、ステップＳ２４２に進み、ＲＡＭ５０ａに格納されている画像をメモリカード９０に記録する処理を行う。そして連写撮影のための撮影動作は終了する。
【０１２５】
なお、全ての処理が終了した後は、再び図１８のステップＳ２３０に戻り、次の連写撮影に備えるためのライブビュー表示が再開される。
【０１２６】
以上のように、本実施形態のデジタルカメラ１では、自動プリント設定機能がオン状態である場合、連写撮影のために繰り返される個々の撮影動作に連動して、その都度、取得された画像に対するプリント設定が自動的に行われる。そして本実施形態においては、自動プリント設定機能によるプリント設定枚数に制限を設け、所定フレーム数の画像に対してのみプリント設定を行い、所定フレーム数を越える分の画像に対しては撮影動作に連動した自動プリント設定を行わないようになっている。
【０１２７】
したがって、連写撮影モードＭ２３において、自動プリント設定機能がオン状態であっても、連写撮影時に、プリント設定枚数が無制限に増加することを防止することができ、自動プリントを行った場合でも、プリント料金がユーザの予期しない膨大な金額になることを未然に防止できる。
【０１２８】
＜第６の実施の形態＞
次に、第６の実施の形態について説明する。本実施形態では、連写撮影モードにおいて自動プリント設定機能がオン状態になることを許可し、連写撮影時の個々の撮影動作に連動して自動的にプリント設定を行う一方、無制限にプリント枚数が増加することがないように、連写撮影によって撮影される撮影枚数に制限を設ける一態様を例示する。
【０１２９】
本実施形態におけるデジタルカメラ１の動作モードは、図１４に示した状態遷移図と態様と同様に変化する。そのため、連写撮影モードＭ２３において自動プリント設定機能がオン状態に設定されることがある。また、図１４における撮影メニュー表示Ｇ２３では、撮影枚数についての上限値Ｎ（ただし、Ｎは１以上の整数）を、ユーザが所望する値に予め設定できるようになっている。なお、撮影メニュー表示Ｇ２３においてユーザが上限値Ｎを設定しない場合でも、上限値Ｎは、１以上の所定の整数がデフォルト値として予め定められている。
【０１３０】
図２０及び図２１は、本実施形態での連写撮影モードＭ２３における処理手順を示すフローチャートである。まず図２０に示すように、連写撮影モードＭ２３に移行すると、ＬＣＤ５にライブビュー表示が行われる（ステップＳ２５０）。ユーザは、この状態でフレーミングを行い、所望のタイミングでシャッタボタン９を半押し操作する。デジタルカメラ１では、シャッタボタン９が半押し状態とされたことに応答して、全体制御部５０がＡＦ、ＡＥ、ＡＷＢの各処理を実行し、ユーザがシャッタボタン９の全押し操作を行うのを待機する（ステップＳ２５１）。
【０１３１】
そしてシャッタボタン９が全押し状態にされると、ＣＣＤ２０の露光を開始して、画像を取得するための撮影動作を行う（ステップＳ２５２）。この撮影動作によって取得された画像データは一時的にＲＡＭ５０ａに格納される（ステップＳ２５３）。すなわち、ステップＳ２５２，Ｓ２５３の処理が、１コマ分の画像を取得するための１回の撮影動作となっている。なお、ステップＳ２５２，Ｓ２５３の撮影動作が行われると、その都度、ＲＡＭ５０ａに保持される撮影枚数を１インクリメントすることにより、撮影枚数を累積的に増加させていく。
【０１３２】
次に、全体制御部５０は、自動プリント設定機能がオン状態であるか否かを判断し（ステップＳ２５４）、オン状態であればステップＳ２５５に進む。また、オフ状態であれば図２１のステップＳ２５９に進む。
【０１３３】
自動プリント設定機能がオン状態である場合には、ＲＡＭ５０ａに格納された画像に対するプリント設定処理（ステップＳ２５５）と、そのプリント設定に基づいてメモリカード９０にプリント注文ファイルＰｆを記録（更新）する処理（ステップＳ２５６）とが実行される。
【０１３４】
そして撮影枚数が制限枚数（Ｎ枚）に達したか否かが判断される（ステップＳ２５７）。そして撮影枚数が制限枚数に達した場合は、ステップＳ２５８に進み、ＬＣＤ５に対して、枚数制限によって連写撮影が強制的に終了したことを示す警告表示を行う。図２２は連写撮影モード時におけるＬＣＤ５の表示状態の一例を示す図である。図２２に示すように、連写撮影モード時には、ユーザに対して連写撮影モードであることを示す表示５００がＬＣＤ５の画面内に表示されている。ところが、ステップＳ２５７において撮影枚数が制限枚数に達した場合には、ステップＳ２５８の処理によって表示５００が点滅状態となり、連写撮影が強制終了したことを示す警告状態に変化するようになっている。このような警告表示により、ユーザは連写撮影が強制的に終了したことを容易に把握することができる。なお、連写撮影が強制終了したことを示す警告表示は図２２の態様に限られるものではなく、種々の表示態様が適用可能である。
【０１３５】
一方、ステップＳ２５７において撮影枚数が制限枚数に達していない場合には、図２１のステップＳ２５９に進む。そして全体制御部５０はシャッタボタン９が全押しされたままの状態であるか否かを判断し（ステップＳ２５９）、全押し状態が継続されていればステップＳ２６０に進む。ステップＳ２６０，Ｓ２６１，Ｓ２６２の各処理は、図１１のステップＳ２０５，Ｓ２０６，Ｓ２０７と同様であり、連写撮影によって取得される画像データによってＲＡＭ５０ａの記憶可能な領域がフルになるまでは、ステップＳ２５２以降の上述した処理が繰り返され、フルになった場合にはそれまでの連写撮影によってＲＡＭ５０ａに蓄積された複数の画像をメモリカード９０に記録するための記録処理（ステップＳ２６１）が行われる。なお、記録処理（ステップＳ２６１）の後、シャッタボタン９の全押しが解除されている場合（ステップＳ２６２にてＹｅｓの場合）には、連写撮影のための撮影動作は終了する。
【０１３６】
これに対し、撮影枚数が制限枚数に達して強制的に連写撮影が終了した場合、及びステップＳ２５９でシャッタボタン９の全押しが解除されていた場合には、ステップＳ２６３に進み、それまでにＲＡＭ５０ａに格納されている画像をメモリカード９０に記録する処理を行う。そして連写撮影のための撮影動作は終了する。
【０１３７】
なお、全ての処理が終了した後は、再び図２０のステップＳ２５０に戻り、次の連写撮影に備えるためのライブビュー表示が再開される。
【０１３８】
以上のように、本実施形態のデジタルカメラ１では、自動プリント設定機能がオン状態である場合、連写撮影のために繰り返される個々の撮影動作に連動して、その都度、取得された画像に対するプリント設定が自動的に行われる。そして連写撮影による撮影枚数が制限枚数に達した場合には、強制的に連写撮影を終了するように構成されている。
【０１３９】
したがって、連写撮影モードＭ２３において、自動プリント設定機能がオン状態であっても、連写撮影時に、プリント設定枚数が無制限に増加することを防止することができ、自動プリントを行った場合でも、プリント料金がユーザの予期しない膨大な金額になることを未然に防止できる。
【０１４０】
＜第７の実施の形態＞
次に、第７の実施の形態について説明する。本実施形態では、上記第５の実施の形態で説明したプリント設定枚数の制限枚数Ｎ枚、又は上記第６の実施の形態で説明した撮影枚数の制限枚数Ｎ枚を決定するための一手法について説明する。
【０１４１】
図２３は、連写撮影モードＭ２３に関する撮影メニュー表示Ｇ２３での、より詳細な状態遷移図を示すものである。撮影メニュー表示Ｇ２３において制限枚数Ｎを変更するための操作が行われると、全体制御部５０は、ＬＣＤ５に対して枚数制限を設定するための画面Ｇ２４を表示する。この画面Ｇ２４には選択項目として、例えば「枚数で制限」と「プリント料金で制限」との２つの項目がある。ユーザは上ボタン７ａ若しくは下ボタン７ｂを押下することによって選択状態を切り替えることができるようになっている。例えば、画面Ｇ２４が「枚数で制限」を選択している状態であるとすると、ユーザは上ボタン７ａ若しくは下ボタン７ｂを押下することによって画面Ｇ２６に移行し、「プリント料金で制限」が選択された状態に変化する。
【０１４２】
そして「枚数で制限」が選択されている状態（画面Ｇ２４）で、ユーザが実行ボタン７ｅを押下すると、制限枚数Ｎを枚数で制限設定するための画面Ｇ２５に移行する。この画面Ｇ２５では、制限枚数Ｎを示す値が表示されており、ユーザが上ボタン７ａ若しくは下ボタン７ｂを押下することによって制限枚数の値を変更することができるようになっている。そして制限枚数として所望の値が表示されているときに実行ボタン７ｅが押下されると、全体制御部５０において制限値Ｎを決定するための処理Ｐ２０が実行される。ここでの処理Ｐ２０は、画面Ｇ２５に表示されている値をそのまま制限値Ｎとする処理である。そして決定された制限値ＮをＲＯＭ５０ｂに書き込み、再び撮影メニュー表示Ｇ２３に戻ることになる。
【０１４３】
これに対し、「プリント料金で制限」が選択されている状態（画面Ｇ２６）で、ユーザが実行ボタン７ｅを押下すると、制限枚数Ｎをプリント料金で制限設定するための画面Ｇ２７に移行する。この画面Ｇ２７では、プリント料金に関する値が表示されており、ユーザが上ボタン７ａ若しくは下ボタン７ｂを押下することによってプリント料金の総額を示す値を変更することができるようになっている。なお、単価についても、ユーザが希望の値に設定できるように構成することが好ましい。そしてプリント料金の総額として所望の値が表示されているときに実行ボタン７ｅが押下されると、全体制御部５０において制限値Ｎを決定するための処理Ｐ２０が実行される。ここでの処理Ｐ２０は、画面Ｇ２７に表示されている総額及び単価情報に基づいて、制限値Ｎを求める演算処理となる。すなわち、制限値Ｎ＝（総額）／（単価）となる。このようにして決定される制限値ＮはＲＯＭ５０ｂに書き込まれ、再び撮影メニュー表示Ｇ２３に戻ることになる。
【０１４４】
以上のように、プリント設定枚数の制限枚数Ｎ又は連写撮影時の撮影制限枚数Ｎを決定するための手法として、ユーザが枚数値を直接指定する場合と、プリント料金を指定し、そのプリント料金から演算処理によって制限枚数を決定する場合との２つの手法があり、特に本実施形態のデジタルカメラ１では、ユーザがプリント料金を入力すれば、内部演算処理によって制限枚数Ｎが決定されるようになっている。そのため、ユーザはプリント料金を入力するだけで、制限枚数Ｎが自動的に決定されることになり、デジタルカメラ１の操作性が向上することになる。
【０１４５】
＜変形例＞
以上、本発明の実施の形態について説明したが、本発明は上記の内容に限定されるものではない。
【０１４６】
例えば、デジタルカメラ１が、プリントモード時において手動操作で画像ごとにプリント指定を行うことができる構成である場合を例示したが、そのような手動操作を行うための機能を有していなくてもよい。
【０１４７】
また、撮影モードが１コマ撮影モードと連写撮影モードとによって構成される場合を例示したが、さらに動画撮影モードや他のモードを備えて撮影モードが構成されるものであっても構わない。
【図面の簡単な説明】
【０１４８】
【図１】デジタルカメラを正面側からみた外観構成を示す斜視図である。
【図２】デジタルカメラを背面側からみた外観構成を示す斜視図である。
【図３】デジタルカメラの内部機能を示すブロック図である。
【図４】メモリカードにおけるデータ格納状態の一例を示す図である。
【図５】プリント注文ファイルに記録される情報の一例を示す図である。
【図６】第１の実施の形態におけるデジタルカメラでの動作モードの変化を示す状態遷移図である。
【図７】１コマ撮影モードでの撮影メニュー表示における表示画面の一例を示す図である。
【図８】連写撮影モードでの撮影メニュー表示における表示画面の一例を示す図である。
【図９】１コマ撮影モードにおける処理手順を示すフローチャートである。
【図１０】プリント注文ファイル作成処理の処理手順を示すフローチャートである。
【図１１】第１の実施の形態における連写撮影モードでの処理手順を示すフローチャートである。
【図１２】第２の実施の形態におけるデジタルカメラでの動作モードの変化を示す状態遷移図である。
【図１３】第３の実施の形態におけるデジタルカメラでの動作モードの変化を示す状態遷移図である。
【図１４】第４乃至第６の実施の形態におけるデジタルカメラでの動作モードの変化を示す状態遷移図である。
【図１５】第４の実施の形態における連写撮影モードでの処理手順を示すフローチャートである。
【図１６】第４の実施の形態における連写撮影モードでの処理手順を示すフローチャートである。
【図１７】連写撮影モードにおけるアフタービュー表示の一例を示す図である。
【図１８】第５の実施の形態における連写撮影モードでの処理手順を示すフローチャートである。
【図１９】第５の実施の形態における連写撮影モードでの処理手順を示すフローチャートである。
【図２０】第６の実施の形態における連写撮影モードでの処理手順を示すフローチャートである。
【図２１】第６の実施の形態における連写撮影モードでの処理手順を示すフローチャートである。
【図２２】連写撮影モード時における表示状態の一例を示す図である。
【図２３】連写撮影モードに関する撮影メニュー表示での詳細な状態遷移を示す図である。
【符号の説明】
【０１４９】
１  デジタルカメラ（撮像装置）
５  ＬＣＤ（表示手段）
５０  全体制御部
５３  撮影制御部（制御手段）
５５  プリント設定処理部（プリント設定手段）
９０  メモリカード（記録媒体）
【図１】
2005143034.tif 000003
【図２】
2005143034.tif 000004
【図３】
2005143034.tif 000005
【図４】
2005143034.tif 000006
【図５】
2005143034.tif 000007
【図６】
2005143034.tif 000008
【図７】
2005143034.tif 000009
【図８】
2005143034.tif 000010
【図９】
2005143034.tif 000011
【図１０】
2005143034.tif 000012
【図１１】
2005143034.tif 000013
【図１２】
2005143034.tif 000014
【図１３】
2005143034.tif 000015
【図１４】
2005143034.tif 000016
【図１５】
2005143034.tif 000017
【図１６】
2005143034.tif 000018
【図１７】
2005143034.tif 000019
【図１８】
2005143034.tif 000020
【図１９】
2005143034.tif 000021
【図２０】
2005143034.tif 000022
【図２１】
2005143034.tif 000023
【図２２】
2005143034.tif 000024
【図２３】
2005143034.tif 000025